(57)【要約】【課題】作業員が現地に出向いて乾燥運転を実施しなくても停止中の水力発電機の発電機界磁回路の絶縁を回復させることができる水力発電機絶縁回復装置を提供する。【解決手段】水力発電機絶縁回復装置は、第１および第２の水力発電機１1，１2の発電機界磁回路の絶縁低下を検出するための第１および第２の界磁地絡継電器５1，５2と、第２の界磁地絡継電器５2によって停止中の第２の水力発電機１2の発電機界磁回路の絶縁低下が検出されると第２の水力発電機１2を所定の乾燥運転時間だけ乾燥運転させる乾燥運転手段として機能する発電機励磁回路（４’）および絶縁回復用電磁弁制御回路１０とを具備する。【選択図】図１
2010051120.tif 000002
【特許請求の範囲】
【請求項１】
停止中の水力発電機（１2）の発電機界磁回路の絶縁低下が生じた際に該水力発電機の発電機界磁回路の絶縁を回復するための水力発電機絶縁回復装置であって、
前記水力発電機の発電機界磁回路の絶縁低下を検出するための絶縁低下検出手段と、
該絶縁低下検出手段によって前記水力発電機の発電機界磁回路の絶縁低下が検出されると、該水力発電機を所定の乾燥運転時間だけ乾燥運転させる乾燥運転手段と、
を具備することを特徴とする、水力発電機絶縁回復装置。
【請求項２】
前記水力発電機が運転中であるときに該水力発電機の界磁巻線（１a2）に励磁電流（Ｉ2）を供給する発電機励磁手段（４’）をさらに具備し、
前記絶縁低下検出手段が、前記水力発電機の前記界磁巻線に接続された界磁地絡継電器（５2）を備え、
前記乾燥運転手段が、前記界磁地絡継電器によって停止中の前記水力発電機の発電機界磁回路の絶縁低下が検出されると、該水力発電機が備える水車に水を流すための給水管に設けられた電磁弁（７2）を前記乾燥運転時間だけ開くための電磁弁制御信号（ＶCON2）を発生する電磁弁制御信号発生手段（１１2，１２2）を備え、
前記発電機励磁手段が、前記絶縁低下検出手段として機能して、前記水力発電機が停止中であるときにも該水力発電機の前記界磁巻線に前記励磁電流を供給するとともに、該水力発電機が停止中であるときに前記界磁地絡継電器によって該水力発電機の発電機界磁回路の絶縁低下が検出されると、前記乾燥運転手段として機能して、該水力発電機の該界磁巻線への該励磁電流の供給を前記乾燥運転時間だけ中止する、
ことを特徴とする、請求項１記載の水力発電機絶縁回復装置。
【請求項３】
第１および第２の水力発電機（１1，１2）のうち該第１の水力発電機が運転中であり該第２の水力発電機が停止中である場合に、該第２の水力発電機の発電機界磁回路の絶縁低下が生じた際に該第２の水力発電機の発電機界磁回路の絶縁を回復するための水力発電機絶縁回復装置であって、
運転中の前記第１の水力発電機の第１の界磁巻線（１a1）に第１の励磁電流（Ｉ1）を供給するとともに停止中の前記第２の水力発電機の第２の界磁巻線（１a2）にも第２の励磁電流（Ｉ2）を供給する発電機励磁手段（４’）と、
前記第１および第２の水力発電機の発電機界磁回路の絶縁低下を検出するための絶縁低下検出手段と、
該絶縁低下検出手段によって前記第２の水力発電機の発電機界磁回路の絶縁低下が検出されると、該第２の水力発電機を所定の乾燥運転時間だけ乾燥運転させる乾燥運転手段と、
前記絶縁低下検出手段によって前記第１の水力発電機の発電機界磁回路の絶縁低下が検出されると、該第１の水力発電機を緊急停止させる緊急停止手段と、
を具備することを特徴とする、水力発電機絶縁回復装置。
【請求項４】
前記絶縁低下検出手段が、前記第１の水力発電機の前記第１の界磁巻線に接続された第１の界磁地絡継電器（５1）および前記第２の水力発電機の前記第２の界磁巻線に接続された第２の界磁地絡継電器（５2）を備え、
前記乾燥運転手段が、前記第１の界磁地絡継電器によって前記第１の水力発電機の発電機界磁回路の絶縁低下が検出されても、該第１の水力発電機が備える第１の水車に水を流すための第１の給水管に設けられた第１の電磁弁（７1）を前記乾燥運転時間だけ開くための第１の電磁弁制御信号（ＶCON1）を発生しないが、前記第２の界磁地絡継電器によって前記第２の水力発電機の発電機界磁回路の絶縁低下が検出されると、該第２の水力発電機が備える第２の水車に水を流すための第２の給水管に設けられた第２の電磁弁（７2）を前記乾燥運転時間だけ開くための第２の電磁弁制御信号（ＶCON2）を発生する絶縁回復用電磁弁制御手段（１０）を備え、
前記発電機励磁手段が、前記第１の界磁地絡継電器によって前記第１の水力発電機の発電機界磁回路の絶縁低下が検出されると、前記緊急停止手段として機能して、該第１の水力発電機の前記第１の界磁巻線への前記第１の励磁電流の供給を中止するとともに、前記第２の界磁地絡継電器によって前記第２の水力発電機の発電機界磁回路の絶縁低下が検出されると、前記乾燥運転手段として機能して、該第２の水力発電機の前記第２の界磁巻線への前記第２の励磁電流の供給を前記乾燥運転時間だけ中止する、
ことを特徴とする、請求項３記載の水力発電機絶縁回復装置。
【発明の詳細な説明】
【技術分野】
【０００１】
本発明は、水力発電機絶縁回復装置に関し、特に、停止中の水力発電機（ダム水路式）の発電機界磁回路の絶縁を回復するのに好適な水力発電機絶縁回復装置に関する。
【背景技術】
【０００２】
従来、運転中の水力発電機の発電機界磁回路の絶縁が低下した場合には、水力発電機の界磁巻線の正極側と接地との間に接続された界磁地絡継電器（たとえば、下記の特許文献１参照）によって閉塞継電器を動作させることにより、水力発電機を停止させている。
【０００３】
たとえば、図３に示すように第１および第２の水力発電機１1，１2（ダム水路式）のうち第１の水力発電機１1（先行機）のみを運転している場合には、同図に実線の矢印で示すように発電機励磁回路４から第１の水力発電機１1の第１の界磁巻線１a1に第１の励磁電流Ｉ1を供給している。また、停止中の第２の水力発電機１2（後行機）の第２の界磁巻線１a2には同図に波線の矢印で示すように発電機励磁回路４から第２の励磁電流Ｉ2を供給しないようにしている。
運転中の第１の水力発電機１1の発電機界磁回路の絶縁が低下した場合には、第１の界磁巻線１a1の正極側と接地との間に接続された第１の界磁地絡継電器５1に整定値以上の事故電流が入力されるため、第１の界磁地絡継電器５1が動作して第１の事故発生通知信号Ｓ1を第１の閉塞継電器６1に出力する。
第１の閉塞継電器６1は、第１の事故発生通知信号Ｓ1が第１の界磁地絡継電器５1から入力されると、第１の水力発電機１1を停止するように指示する第１の停止指示信号を発電機励磁回路４に出力するとともに、第１および第２の水力発電機１1，１2が備える第１および第２の水車（不図示）に水を流すための第１および第２の給水管に設けられた第１および第２の電磁弁７1，７2の開閉制御をするための電磁弁制御回路（不図示）に第１の停止指示信号を出力する。
第１の停止指示信号が第１の閉塞継電器６1から入力されると、発電機励磁回路４は第１の励磁電流Ｉ1の第１の界磁巻線１a1への供給を中止し、電磁弁制御回路は第１の電磁弁７1を閉じる。これにより、第１の水力発電機１1が停止する。
【０００４】
また、第１および第２の水力発電機１1，１2の運転に伴う発電機室内の高温化を防ぐために、図４（ａ）,（ｂ）に示すように第１および第２の水力発電機１1，１2に第１および第２の排気ダクト２1，２2をそれぞれ設置して、第１の水力発電機１1の運転中には第１の排気ダクト２1内に設けられた第１の排気ダンパー３1を図４（ａ）に白抜きで示すように開いて第１の水力発電機１1によって温められた空気を発電機室外に排気し、第２の水力発電機１2の運転中には第２の排気ダクト２2内に設けられた第２の排気ダンパー３2を図４（ｂ）に白抜きで示すように開いて第２の水力発電機１2によって温められた空気を発電機室外に排気している。
【０００５】
なお、下記の特許文献２には、水車発電機の休止中に発電機風道の気密をより高めて発電機風道内を乾燥空気の雰囲気に保つために、上部保護カバー上の吸気口にそれぞれ吸気口閉止装置が設けられ、吸気口閉止装置が吸気口の開口部を塞ぐカバーと、枢軸として働くヒンジと、手で扱うための取っ手とからなり、水車発電機の休止中に各カバーを閉じてヒータで空気を加熱することにより発電機風道内を乾燥空気の雰囲気に保持するようにした水車発電機の吸湿防止装置が開示されている。
【特許文献１】特開平１０−３８９５３号公報
【特許文献２】特開２００１−１６５０２８号公報
【発明の開示】
【発明が解決しようとする課題】
【０００６】
上述したように運転中の第１の水力発電機１1の発電機界磁回路の絶縁が低下した場合には第１の水力発電機１1を自動停止させることができるが、停止中の第２の水力発電機１2が発電機室内の湿度の上昇によって吸湿し発電機界磁回路の絶縁低下が生じた場合には、第２の水力発電機１2の第２の界磁巻線１a2には発電機励磁回路４から第２の励磁電流Ｉ2が供給されていないため、第２の界磁巻線１a2の正極側と接地との間に接続された第２の界磁地絡継電器５2は動作しない（図３参照）。
その結果、第２の水力発電機１2の運転開始時に第２の水力発電機１2の第２の界磁巻線１a2に発電機励磁回路４から第２の励磁電流Ｉ2を供給して始めて、上述した第１の界磁地絡継電器５1と同様にして第２の界磁地絡継電器５2が動作して第２の事故発生通知信号Ｓ2を第２の閉塞継電器６2に出力し、第２の閉塞継電器６2が第２の水力発電機１2を停止するように指示する第２の停止指示信号を発電機励磁回路４および電磁弁制御回路に出力する。
第２の停止指示信号が第２の閉塞継電器６2から入力されると、発電機励磁回路４は第２の励磁電流Ｉ2の第２の界磁巻線１a2への供給を中止し、電磁弁制御回路は第２の電磁弁７2を閉じる。これにより、第２の水力発電機１2が停止する。
また、このときに警報が発せられるので、作業員が現地に出向いて、第２の水力発電機１2の発電機界磁回路の絶縁を回復させるための乾燥運転（無負荷無励磁運転）を実施している。
【０００７】
なお、停止中の第２の水力発電機１2の発電機界磁回路の絶縁低下を防止するために、図５に示すように第１の排気ダクト２1と第２の排気ダクト２2とを連通させて、運転中の第１の水力発電機１1によって温められた空気（高温で乾燥した空気）を第２の水力発電機１2に供給して第２の水力発電機１2を常に乾燥させておくことも考えられる。
しかし、この場合には、高温で乾燥した空気が発電機室内を循環して発電機室の室温が上昇するため、第１および第２の水力発電機１1，１2の軸受けの温度が上昇して第１および第２の水力発電機１1，１2の軸受けメタルが焼損したり第１および第２の水力発電機１1，１2の寿命が低下したりするおそれがあるという問題がある。
【０００８】
本発明の目的は、作業員が現地に出向いて乾燥運転を実施しなくても停止中の水力発電機の発電機界磁回路の絶縁を回復させることができる水力発電機絶縁回復装置を提供することにある。
【課題を解決するための手段】
【０００９】
本発明の水力発電機絶縁回復装置は、停止中の水力発電機（１2）の発電機界磁回路の絶縁低下が生じた際に該水力発電機の発電機界磁回路の絶縁を回復するための水力発電機絶縁回復装置であって、前記水力発電機の発電機界磁回路の絶縁低下を検出するための絶縁低下検出手段と、該絶縁低下検出手段によって前記水力発電機の発電機界磁回路の絶縁低下が検出されると、該水力発電機を所定の乾燥運転時間だけ乾燥運転させる乾燥運転手段とを具備することを特徴とする。
ここで、前記水力発電機が運転中であるときに該水力発電機の界磁巻線（１a2）に励磁電流（Ｉ2）を供給する発電機励磁手段（４’）をさらに具備し、前記絶縁低下検出手段が、前記水力発電機の前記界磁巻線に接続された界磁地絡継電器（５2）を備え、前記乾燥運転手段が、前記界磁地絡継電器によって停止中の前記水力発電機の発電機界磁回路の絶縁低下が検出されると、該水力発電機が備える水車に水を流すための給水管に設けられた電磁弁（７2）を前記乾燥運転時間だけ開くための電磁弁制御信号（ＶCON2）を発生する電磁弁制御信号発生手段（１１2，１２2）を備え、前記発電機励磁手段が、前記絶縁低下検出手段として機能して、前記水力発電機が停止中であるときにも該水力発電機の前記界磁巻線に前記励磁電流を供給するとともに、該水力発電機が停止中であるときに前記界磁地絡継電器によって該水力発電機の発電機界磁回路の絶縁低下が検出されると、前記乾燥運転手段として機能して、該水力発電機の該界磁巻線への該励磁電流の供給を前記乾燥運転時間だけ中止してもよい。
また、本発明の水力発電機絶縁回復装置は、第１および第２の水力発電機（１1，１2）のうち該第１の水力発電機が運転中であり該第２の水力発電機が停止中である場合に、該第２の水力発電機の発電機界磁回路の絶縁低下が生じた際に該第２の水力発電機の発電機界磁回路の絶縁を回復するための水力発電機絶縁回復装置であって、運転中の前記第１の水力発電機の第１の界磁巻線（１a1）に第１の励磁電流（Ｉ1）を供給するとともに停止中の前記第２の水力発電機の第２の界磁巻線（１a2）にも第２の励磁電流（Ｉ2）を供給する発電機励磁手段（４’）と、前記第１および第２の水力発電機の発電機界磁回路の絶縁低下を検出するための絶縁低下検出手段と、該絶縁低下検出手段によって前記第２の水力発電機の発電機界磁回路の絶縁低下が検出されると、該第２の水力発電機を所定の乾燥運転時間だけ乾燥運転させる乾燥運転手段と、前記絶縁低下検出手段によって前記第１の水力発電機の発電機界磁回路の絶縁低下が検出されると、該第１の水力発電機を緊急停止させる緊急停止手段とを具備することを特徴とする。
ここで、前記絶縁低下検出手段が、前記第１の水力発電機の前記第１の界磁巻線に接続された第１の界磁地絡継電器（５1）および前記第２の水力発電機の前記第２の界磁巻線に接続された第２の界磁地絡継電器（５2）を備え、前記乾燥運転手段が、前記第１の界磁地絡継電器によって前記第１の水力発電機の発電機界磁回路の絶縁低下が検出されても、該第１の水力発電機が備える第１の水車に水を流すための第１の給水管に設けられた第１の電磁弁（７1）を前記乾燥運転時間だけ開くための第１の電磁弁制御信号（ＶCON1）を発生しないが、前記第２の界磁地絡継電器によって前記第２の水力発電機の発電機界磁回路の絶縁低下が検出されると、該第２の水力発電機が備える第２の水車に水を流すための第２の給水管に設けられた第２の電磁弁（７2）を前記乾燥運転時間だけ開くための第２の電磁弁制御信号（ＶCON2）を発生する絶縁回復用電磁弁制御手段（１０）を備え、前記発電機励磁手段が、前記第１の界磁地絡継電器によって前記第１の水力発電機の発電機界磁回路の絶縁低下が検出されると、前記緊急停止手段として機能して、該第１の水力発電機の前記第１の界磁巻線への前記第１の励磁電流の供給を中止するとともに、前記第２の界磁地絡継電器によって前記第２の水力発電機の発電機界磁回路の絶縁低下が検出されると、前記乾燥運転手段として機能して、該第２の水力発電機の前記第２の界磁巻線への前記第２の励磁電流の供給を前記乾燥運転時間だけ中止してもよい。
【発明の効果】
【００１０】
本発明の水力発電機絶縁回復装置は、停止中の水力発電機の発電機界磁回路の絶縁が低下してもこの水力発電機を所定の乾燥運転時間だけ自動的に乾燥運転させることができるので、作業員が現地に出向いて乾燥運転を実施しなくても停止中の水力発電機の発電機界磁回路の絶縁を回復させることができるという効果を奏する。
【発明を実施するための最良の形態】
【００１１】
上記の目的を、絶縁低下検出手段によって停止中の水力発電機の発電機界磁回路の絶縁低下が検出されると、乾燥運転手段によってこの水力発電機を所定の乾燥運転時間だけ乾燥運転させることにより実現した。
【実施例１】
【００１２】
以下、本発明の水力発電機絶縁回復装置の実施例について図面を参照して説明する。
本発明の水力発電機絶縁回復装置は、以下に示す２つの点を特徴とする。
（１）停止中の水力発電機の界磁巻線にも発電機励磁回路から励磁電流を供給しておき、停止中の水力発電機の発電機界磁回路の絶縁低下を界磁地絡継電器によって監視できるようにする。
（２）停止中の水力発電機の発電機界磁回路の絶縁低下が界磁地絡継電器によって検出されると、この水力発電機を自動的に乾燥運転（無負荷無励磁運転）させる。
【００１３】
これを実現するため、本発明の一実施例による水力発電機絶縁回復装置は、図１に示す絶縁回復用電磁弁制御回路１０を具備する。
また、図１に示す発電機励磁回路４’は、以下に示す２つの点で図３に示した発電機励磁回路４と相違する。
（１）第１および第２の水力発電機１1，１2が停止中でも第１および第２の励磁電流Ｉ1，Ｉ2を第１および第２の界磁巻線１a1，１a2に供給する。なお、停止中の第１および第２の水力発電機１1，１2の第１および第２の界磁巻線１a1，１a2に第１および第２の励磁電流Ｉ1，Ｉ2を供給しても、第１および第２の水力発電機１1，１2が備える第１および第２の水車に水が流されない限り第１および第２の水力発電機１1，１2は発電しない。
（２）第１の運転中通知信号Ｔ1（第１の水力発電機１1が運転中であるとハイレベルの信号）と第２の運転中通知信号Ｔ2（第２の水力発電機１2が運転中であるとハイレベルの信号）とを絶縁回復用電磁弁制御回路１０に出力する。
（３）第１および第２の水力発電機１1，１2が停止中に第１および第２の閉塞継電器６1，６2から第１および第２の水力発電機１1，１2を停止するように指示する第１および第２の停止指示信号が入力されると、第１および第２の界磁巻線１a1，１a2への第１および第２の励磁電流Ｉ1，Ｉ2の供給を所定の乾燥運転時間だけ中止する。
【００１４】
絶縁回復用電磁弁制御回路１０は、第１の水力発電機１1が停止中に第１の水力発電機１1の第１の界磁巻線１a1の正極側と接地との間に接続された第１の界磁地絡継電器５1から第１の事故発生通知信号Ｓ1が入力されると、第１の電磁弁７1を乾燥運転時間だけ開くための第１の電磁弁制御信号ＶCON1を第１の電磁弁７1に出力するとともに、第２の水力発電機１2が停止中に第２の水力発電機１2の第２の界磁巻線１a2の正極側と接地との間に接続された第２の界磁地絡継電器５2から第２の事故発生通知信号Ｓ2が入力されると、第２の電磁弁７2を乾燥運転時間だけ開くための第２の電磁弁制御信号ＶCON2を第２の電磁弁７2に出力する。
このため、絶縁回復用電磁弁制御回路１０は、図２に示すように、第１の界磁地絡継電器５1から入力される第１の事故発生通知信号Ｓ1と発電機励磁回路４’から入力される第１の運転中通知信号Ｔ1の極性を反転した信号との論理積をとる第１の論理積回路１１1と、第２の界磁地絡継電器５2から入力される第２の事故発生通知信号Ｓ2と発電機励磁回路４’から入力される第２の運転中通知信号Ｔ2の極性を反転した信号との論理積をとる第２の論理積回路１１2と、第１の論理積回路１１1からハイレベルの信号が入力されると乾燥運転時間だけ第１の電磁弁制御信号ＶCON1を出力する第１のタイマー１２1（第１の電磁弁制御信号発生手段）と、第２の論理積回路１１2からハイレベルの信号が入力されると乾燥運転時間だけ第２の電磁弁制御信号ＶCON2を出力する第２のタイマー１２2（第２の電磁弁制御信号発生手段）とを備える。
なお、第１の論理積回路１１1と第１のタイマー１２1とは第１の電磁弁制御信号発生手段として機能し、第２の論理積回路１１2と第２のタイマー１２2とは第２の電磁弁制御信号発生手段として機能する。
【００１５】
第１および第２の電磁弁７1，７2は、電磁弁制御回路によって第１および第２の電磁弁７1，７2を閉じるように制御されている場合でも、絶縁回復用電磁弁制御回路１０から第１および第２の事故発生通知信号Ｓ1，Ｓ2が入力されると、第１および第２の電磁弁７1，７2を乾燥運転時間だけ開くように制御される。
【００１６】
次に、第１の水力発電機１1が運転中で第２の水力発電機１2が停止中である場合に停止中の第２の水力発電機１2の発電機界磁回路が絶縁低下したときの本実施例による水力発電機絶縁回復装置の動作について説明する。
【００１７】
第１および第２の水力発電機１1，１2の発電機界磁回路の絶縁が低下していない場合には、ロウレベルの第１および第２の事故発生通知信号Ｓ1，Ｓ2が第１および第２の界磁地絡継電器５1，５2から絶縁回復用電磁弁制御回路１０に出力されているため、絶縁回復用電磁弁制御回路１０の第１および第２の論理積回路１１1，１１2にはロウレベルの第１および第２の事故発生通知信号Ｓ1，Ｓ2がそれぞれ入力されているので、第１および第２の論理積回路１１1，１１2の出力信号は共にロウレベルとなっている。
その結果、絶縁回復用電磁弁制御回路１０の第１および第２のタイマー１２1，１２2には第１および第２の論理積回路１１1，１１2のロウレベルの出力信号がそれぞれ入力されているため、第１および第２のタイマー１２1，１２2からそれぞれ出力される第１および第２の電子弁制御信号ＶCON1，ＶCON2は共にロウレベルとなっている。
なお、第１の水力発電機１1は運転中であるため、ハイレベルの第１の運転中通知信号Ｔ1が発電機励磁回路４’から絶縁回復用電磁弁制御回路１０に出力されているとともに、第１の電磁弁７1は電磁弁制御回路によって開かれている。また、第２の水力発電機１2は停止中であるため、ロウレベルの第２の運転中通知信号Ｔ2が発電機励磁回路４’から絶縁回復用電磁弁制御回路１０に出力されているとともに、第２の電磁弁７2は電磁弁制御回路によって閉じられている。
【００１８】
このような状態で、停止中の第２の水力発電機１2の発電機界磁回路が絶縁低下すると、第２の界磁巻線１a2の正極側と接地との間に接続された第２の界磁地絡継電器５2に整定値以上の事故電流が入力されるために第２の界磁地絡継電器５2が動作して、ハイレベルの第２の事故発生通知信号Ｓ2が第２の界磁地絡継電器５2から第２の閉塞継電器６2および絶縁回復用電磁弁制御回路１０に出力される。
【００１９】
第２の閉塞継電器６2は、ハイレベルの第２の事故発生通知信号Ｓ2が第２の界磁地絡継電器５2から入力されると、第２の水力発電機１2を停止するように指示するハイレベルの第２の停止指示信号Ｕ2を発電機励磁回路４’および電磁弁制御回路に出力する。
【００２０】
ハイレベルの第２の停止指示信号Ｕ2が第２の閉塞継電器６2から入力されると、発電機励磁回路４’は第２の界磁巻線１a2への第２の励磁電流Ｉ2の供給を乾燥運転時間だけ中止し、電磁弁制御回路は第２の電磁弁７2を閉じた状態のままとする。
【００２１】
しかし、絶縁回復用電磁弁制御回路１０では、ハイレベルの第２の事故発生通知信号Ｓ2が第２の界磁地絡継電器５2から入力されると、ハイレベルの第２の事故発生通知信号Ｓ2とロウレベルの第２の運転中通知信号Ｔ2とが第２の論理積回路１１2に入力されるため、第２の論理積回路１１2の出力信号はロウレベルからハイレベルとなる。
その結果、絶縁回復用電磁弁制御回路１０の第２のタイマー１２2には第２の論理積回路１１2からハイレベルの出力信号が入力されるため、第２のタイマー１２2から出力される第２の電磁弁制御信号ＶCON2はロウレベルからハイレベルとなるので、第２の電磁弁７2が乾燥運転時間だけ開かれて第２の水車に水が流される。
【００２２】
これにより、第２の水力発電機１2が乾燥運転時間だけ乾燥運転（無負荷無励磁運転）されて、第２の水力発電機１2が乾燥される。
【００２３】
その後、乾燥時間が経過すると、絶縁回復用電磁弁制御回路１０の第２のタイマー１２2から出力される第２の電磁弁制御信号ＶCON2はハイレベルからロウレベルとなるので、第２の電磁弁７2が閉じられて第２の水車に水が流されなくなる。また、発電機励磁回路４’は、第２の界磁巻線１a2への第２の励磁電流Ｉ2の供給を再開する。
このとき、乾燥運転によって第２の水力発電機１2の発電機界磁回路の絶縁状態が回復していると、第２の界磁地絡継電器５2には整定値よりも小さい電流が入力されるために第２の界磁地絡継電器５2は不動作となり、第２の事故発生通知信号Ｓ2はハイレベルからロウレベルとなる。
その結果、絶縁回復用電磁弁制御回路１０の第２の論理積回路１１2に入力される第２の事故発生通知信号Ｓ2はハイレベルからロウレベルとなるため、第２の論理積回路１１2の出力信号はハイレベルからロウレベルとなる。
これにより、第２のタイマー１２2から出力される第２の電磁弁制御信号ＶCON2はロウレベルのままとなる。
【００２４】
なお、運転中の第１の水力発電機１1の発電機界磁回路が絶縁低下した場合には、第１の界磁巻線１a1の正極側と接地との間に接続された第１の界磁地絡継電器５1に整定値以上の事故電流が入力されるために第１の界磁地絡継電器５1が動作して、ハイレベルの第１の事故発生通知信号Ｓ1が第１の界磁地絡継電器５1から第１の閉塞継電器６1および絶縁回復用電磁弁制御回路１０に出力される。
【００２５】
第１の閉塞継電器６1は、ハイレベルの第１の事故発生通知信号Ｓ1が第１の界磁地絡継電器５1から入力されると、第１の水力発電機１1を停止するように指示するハイレベルの第１の停止指示信号を発電機励磁回路４’および電磁弁制御回路に出力する。
ハイレベルの第１の停止指示信号が第１の閉塞継電器６1から入力されると、発電機励磁回路４’は第１の励磁電流Ｉ1の第１の界磁巻線１a1への供給を中止し、電磁弁制御回路は第１の電磁弁７1を閉じる。これにより、運転中の第１の水力発電機１1を緊急停止する。
【００２６】
第１の励磁電流Ｉ1の第１の界磁巻線１a1への供給が中止されると、第１の界磁地絡継電器５1には整定値よりも小さい電流が入力されるために第１の界磁地絡継電器５1は不動作となり、第１の事故発生通知信号Ｓ1はハイレベルからロウレベルとなる。また、運転中の第１の水力発電機１1が緊急停止させられると、第１の運転中通知信号Ｔ1はハイレベルからロウレベルとなる。
その結果、絶縁回復用電磁弁制御回路１０の第１の論理積回路１１1に入力される第１の運転中通知信号Ｔ1はハイレベルからロウレベルとなるが、第１の論理積回路１１1に入力される第１の事故発生通知信号Ｓ1はハイレベルからロウレベルとなるため、第１の論理積回路１１1の出力信号はロウレベルのままとなる。
これにより、絶縁回復用電磁弁制御回路１０の第１のタイマー１２1に入力される第１の論理積回路１１の出力信号はロウレベルのままとなるため、第１のタイマー１２1からに出力される第１の電磁弁制御信号ＶCON1はロウレベルのままとなる。
【００２７】
以上の説明では、電磁弁制御回路と別に絶縁回復用電磁弁制御回路１０を設けたが、電磁弁制御回路に絶縁回復用電磁弁制御回路１０の機能を持たせるようにしてもよい。
【図面の簡単な説明】
【００２８】
【図１】本発明の一実施例による水力発電機絶縁回復装置について説明するための図である。
【図２】図１に示した絶縁回復用電磁弁制御回路１０の構成を示すブロック図である。
【図３】運転中の第１の水力発電機１1の発電機界磁回路の絶縁が低下した場合に第１の水力発電機１1を自動停止させる従来の方法について説明するための図である。
【図４】第１および第２の水力発電機１1，１2の運転に伴う発電機室内の高温化を防ぐために設けられている従来の第１および第２の排気ダクト２1，２2の構成を示す図である。
【図５】停止中の第２の水力発電機１2の発電機界磁回路の絶縁低下を防止するために第１の排気ダクト２1と第２の排気ダクト２2とを連通させた状態を示す図である。
【符号の説明】
【００２９】
１1，１2  第１および第２の水力発電機
１a1，１a2  第１および第２の界磁巻線
２1，２2  第１および第２の排気ダクト
３1，３2  第１および第２の排気ダンパー
４、４’  発電機励磁回路
５1，５2  第１および第２の界磁地絡継電器
６1，６2  第１および第２の閉塞継電器
７1，７2  第１および第２の電磁弁
１０  絶縁回復用電磁弁制御回路
１１1，１１2  第１および第２の論理積回路
１２1，１２2  第１および第２のタイマー
Ｉ1，Ｉ2  第１および第２の励磁電流
Ｓ1，Ｓ2  第１および第２の事故発生通知信号
Ｔ1，Ｔ2  第１および第２の運転中通知信号
Ｕ1，Ｕ2  第１および第２の停止指示信号
ＶCON1，ＶCON2  第１および第２の電磁弁制御信号
【図１】
2010051120.tif 000003
【図２】
2010051120.tif 000004
【図３】
2010051120.tif 000005
【図４】
2010051120.tif 000006
【図５】
2010051120.tif 000007